(57)【要約】【課題】商取引機会の損失を抑制すること。【解決手段】入金されて正貨であると判別された貨幣を金種別に収納し、出金指令が与えられた場合に、収納する貨幣を釣銭として払い出す金銭処理装置１０において、収納する貨幣のうち、釣銭として払い出すことが不適格であると判定された金種別の釣銭外貨幣の数を、管理装置２０に通知する通知制御処理部１５ｂを備えている。この通知制御処理部１５ｂは、収納する金種別の貨幣の数と金種別の釣銭外貨幣の数とを、管理装置２０に通知することが好ましい。【選択図】図１
2020030711.tif 000002
【特許請求の範囲】
【請求項１】
入金されて正貨であると判別された貨幣を金種別に収納し、出金指令が与えられた場合に、収納する貨幣を釣銭として払い出す金銭処理装置において、
収納する貨幣のうち、釣銭として払い出すことが不適格であると判定された金種別の釣銭外貨幣の数を、上位機器に通知する金銭処理制御部を備えたことを特徴とする金銭処理装置。
【請求項２】
前記金銭処理制御部は、収納する金種別の貨幣の数と前記金種別の釣銭外貨幣の数とを、前記上位機器に通知することを特徴とする請求項１に記載の金銭処理装置。
【請求項３】
前記金銭処理制御部は、収納する貨幣のうち、前記金種別の釣銭外貨幣の数とそれ以外の金種別の貨幣の数とを、前記上位機器に通知することを特徴とする請求項１に記載の金銭処理装置。
【請求項４】
請求項２に記載の金銭処理装置と、前記上位機器を構成する管理装置とを備えた金銭処理システムであって、
前記管理装置は、前記金銭処理制御部から収納する金種別の貨幣の数と金種別の釣銭外貨幣の数とを通知された場合、金種別の貨幣の数から金種別の釣銭外貨幣の数を減算させて金種別に釣銭として使用可能な貨幣の数を算出する管理制御部を備えたことを特徴とする金銭処理システム。
【請求項５】
前記管理制御部は、表示指令が与えられた場合に、金種別に釣銭として使用可能な貨幣の数を表示手段に表示させることを特徴とする請求項４に記載の金銭処理システム。
【発明の詳細な説明】
【技術分野】
【０００１】
本発明は、金銭処理装置及び金銭処理システムに関するものである。
【背景技術】
【０００２】
昨今のスーパーマーケットやコンビニエンスストア等の店舗には、現金管理の厳正化等のため、自動釣銭機として金銭処理装置が設置されている。この金銭処理装置は、通常、ＰＯＳ（Point  Of  Sales）レジスタ装置が上位機器として接続されており、上位機器からの指令に応じて硬貨や紙幣等の貨幣の入出金処理を行うものである。
【０００３】
ところで、入金された貨幣に旧紙幣と新紙幣とが混在し、顧客に釣銭として払い出す場合、サービスとして新紙幣を払い出すことが好ましい。このため、入金された貨幣に旧紙幣と新紙幣とが混在する場合、旧紙幣については、釣銭として払い出すことが不適格である釣銭外貨幣として回収する金銭処理装置が提案されている（例えば、特許文献１参照）。
【先行技術文献】
【特許文献】
【０００４】
【特許文献１】特開平８−１８０２４４号公報
【発明の概要】
【発明が解決しようとする課題】
【０００５】
ところで、入金された貨幣に旧紙幣が含まれている場合でも、入出金金額を明確にすべく、上位機器には入金されて収納庫に収納された貨幣の金額（釣銭外貨幣を含めた金額）が通知されることになる。そのため、上位機器から出金指令が与えられた場合、金銭処理装置では、出金指令に応じた金額を釣銭として払い出すことになる。
【０００６】
しかしながら、釣銭外貨幣（旧紙幣）を含めれば釣銭として払い出しができるが、新紙幣のみでは釣銭として払い出すことができない場合、金銭処理装置は、エラー応答を上位機器に出力して釣銭の払い出しが不可能な状態となってしまう。この結果、顧客に釣銭支払いのために待たせてしまう等の商取引機会の損失を招来していた。
【０００７】
尚、ここでは旧紙幣が釣銭外貨幣として説明したが、旧紙幣に限られず、汚れていたり、一部が切れていたりする汚損紙幣が釣銭外貨幣であっても同様の問題が生ずるし、旧硬貨や摩耗等により表面が損傷した硬貨が釣銭外貨幣であっても同様の問題が生ずることは言うまでもない。
【０００８】
本発明は、上記実情に鑑みて、商取引機会の損失を抑制することができる金銭処理装置及び金銭処理システムを提供することを目的とする。
【課題を解決するための手段】
【０００９】
上記目的を達成するために、本発明に係る金銭処理装置は、入金されて正貨であると判別された貨幣を金種別に収納し、出金指令が与えられた場合に、収納する貨幣を釣銭として払い出す金銭処理装置において、収納する貨幣のうち、釣銭として払い出すことが不適格であると判定された金種別の釣銭外貨幣の数を、上位機器に通知する金銭処理制御部を備えたことを特徴とする。
【００１０】
また本発明は、上記金銭処理装置において、前記金銭処理制御部は、収納する金種別の貨幣の数と前記金種別の釣銭外貨幣の数とを、前記上位機器に通知することを特徴とする。
【００１１】
また本発明は、上記金銭処理装置において、前記金銭処理制御部は、収納する貨幣のうち、前記金種別の釣銭外貨幣の数とそれ以外の金種別の貨幣の数とを、前記上位機器に通知することを特徴とする。
【００１２】
また、本発明に係る金銭処理システムは、前記金銭処理装置と、前記上位機器を構成する管理装置とを備えた金銭処理システムであって、前記管理装置は、前記金銭処理制御部から収納する金種別の貨幣の数と金種別の釣銭外貨幣の数とを通知された場合、金種別の貨幣の数から金種別の釣銭外貨幣の数を減算させて金種別に釣銭として使用可能な貨幣の数を算出する管理制御部を備えたことを特徴とする。
【００１３】
また本発明は、上記金銭処理システムにおいて、前記管理制御部は、表示指令が与えられた場合に、金種別に釣銭として使用可能な貨幣の数を表示手段に表示させることを特徴とする。
【発明の効果】
【００１４】
本発明によれば、金銭処理制御部が、収納する貨幣のうち、釣銭として払い出すことが不適格であると判定された金種別の釣銭外貨幣の数を上位機器に通知するので、上位機器に対し、金種別の釣銭外貨幣の数を把握させることができ、これにより、上位機器に釣銭として使用可能な貨幣の補充等の判断を行わせることができる。その結果、金銭処理装置が、上位機器からの出金指令に対して、釣銭の払い出しが不可能な状態となってエラー応答を出力する状況を減らすことができ、顧客に釣銭支払いのために待たせてしまう等の商取引機会の損失を抑制することができるという効果を奏する。
【００１５】
また本発明によれば、管理装置の管理制御部が、金銭処理制御部から収納する金種別の貨幣の数と金種別の釣銭外貨幣の数とを通知された場合に金種別の貨幣の数から金種別の釣銭外貨幣の数を減算させて金種別に釣銭として使用可能な貨幣の数を算出するので、釣銭として使用可能な貨幣の補充等の判断を行うことができる。そのため、管理装置が金銭処理装置に対して、該金銭処理装置が釣銭の払い出しが不可能な状態となってエラー応答を出力するような出金指令を送出することを減らすことができ、顧客に釣銭支払いのために待たせてしまう等の商取引機会の損失を抑制することができるという効果を奏する。
【図面の簡単な説明】
【００１６】
【図１】図１は、本発明の実施の形態である金銭処理装置を備えた金銭処理システム、すなわち本発明の実施の形態である金銭処理システムの制御系の構成を示すブロック図である。
【図２】図２は、図１に示した金銭処理装置の構成を示す斜視図である。
【図３】図３は、図１に示した通知制御処理部が実施する通知処理の処理内容を示すフローチャートである。
【発明を実施するための形態】
【００１７】
以下に添付図面を参照して、本発明に係る金銭処理装置及び金銭処理システムの好適な実施の形態について詳細に説明する。
【００１８】
図１は、本発明の実施の形態である金銭処理装置を備えた金銭処理システム、すなわち本発明の実施の形態である金銭処理システムの制御系の構成を示すブロック図である。
【００１９】
ここで例示する金銭処理システムは、例えばスーパーマーケットやコンビニエンスストア等の店舗において用いられるものであり、自動釣銭機として適用される金銭処理装置１０と、この金銭処理装置１０の上位機器であるＰＯＳ（Point  Of  Sales）レジスタ装置等の管理装置２０とを備えて構成してある。
【００２０】
金銭処理装置１０は、図２に示すように、上面が平坦に形成され、その上面には管理装置２０が配置される。この金銭処理装置１０は、硬貨の入出金を行う硬貨処理装置１１と、紙幣の入出金を行う紙幣処理装置１２と、金銭処理制御部１５とを備えて構成してある。
【００２１】
硬貨処理装置１１及び紙幣処理装置１２は、直方体状を成す装置本体に覆われ、それぞれが隣接して配置される。硬貨処理装置１１は、装置本体の前端上面の右側に硬貨投入口１１１を備える。硬貨処理装置１１の装置本体の前面左側には、硬貨出金口１１２が形成され、硬貨出金口１１２から排出された硬貨は受皿１１３で受け止められる。また、装置本体の前面右側には、硬貨返却口１１４を備える。この硬貨処理装置１１は、装置本体の前端上面の左側に端末表示部１３及び操作入力部１４を備える。端末表示部１３及び操作入力部１４は、紙幣処理装置１２の表示手段及び操作入力手段でもある。
【００２２】
そのような硬貨処理装置１１は、各種センサ群１１ａ及びアクチュエータ群１１ｂを有しており、図には明示しないが、硬貨分離部、硬貨検銭部、硬貨搬送部及び硬貨収納部が設置されている。
【００２３】
硬貨分離部は、硬貨投入口１１１を通じて投入された硬貨を１枚ずつ分離させた状態で供給するものである。硬貨検銭部は、硬貨分離部から供給された硬貨の真偽及び金種を鑑別し、正貨を硬貨搬送部に供給するものである。硬貨搬送部は、硬貨検銭部から供給された硬貨（正貨）を搬送経路に沿って搬送し、金種毎に振り分けて硬貨収納部に供給するものである。硬貨収納部は、金種毎に硬貨を収納しつつ、出金指令に応じて硬貨を硬貨出金口１１２に払い出すものである。
【００２４】
一方、紙幣処理装置１２の装置本体の前面上部には、紙幣投入口１２１が設けられ、該紙幣投入口１２１の下部には、紙幣出金口１２２が設けられている。この紙幣処理装置１２は、各種センサ群１２ａ及びアクチュエータ群１２ｂを有しており、図には明示しないが、紙幣入金部、紙幣出金部、紙幣回収庫、鑑別部、紙幣収納庫が設置されている。
【００２５】
紙幣入金部は、紙幣投入口１２１から投入された紙幣を装置内に導入するものである。紙幣出金部は、紙幣出金口１２２に紙幣を繰り出すものである。紙幣回収庫は、紙幣を回収するものである。鑑別部は、紙幣の真贋及び金種を判別するものである。紙幣収納庫は、金種毎の紙幣を収納するものである。このような紙幣入金部、紙幣出金部、紙幣回収庫、紙幣鑑別部、紙幣収納庫は、紙幣を搬送するための紙幣搬送機構によって接続されている。
【００２６】
かかる紙幣処理装置１２では、紙幣投入口１２１に投入された紙幣は、紙幣入金部の投入検出センサによって検出された後、紙幣搬送機構によって鑑別部に搬送される。紙幣搬送機構は、鑑別部によって紙幣が正貨でないと判別された場合には、この紙幣を紙幣入金部に戻す。一方、紙幣搬送機構は、鑑別部によって紙幣が正貨であると判別された場合、この紙幣を、金種に応じた紙幣収納庫に収納する。一方、出金指示があった場合、紙幣搬送機構は、対応する金種の紙幣を紙幣収納庫から取り出し、紙幣出金部を介して紙幣出金口１２２から出金する。
【００２７】
金銭処理制御部１５は、記憶部１６に記憶されたプログラムやデータにしたがって金銭処理装置１０の動作を統括的に制御するものであり、入出金制御処理部１５ａ及び通知制御処理部１５ｂを備えている。
【００２８】
尚、金銭処理制御部１５は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００２９】
入出金制御処理部１５ａは、管理装置２０から入金許可指令が与えられた後に、貨幣が投入された場合に、入金許可指令にしたがって貨幣の入金処理を行うものである。また入出金制御処理部１５ａは、かかる入金処理を実行している間、実施した入金処理の内容を入金情報１６ａとして逐次記憶部１６に格納する処理も行う。更に入出金制御処理部１５ａは、上記入金処理において、正貨として入金した貨幣が例えば旧紙幣や汚損紙幣、あるいは旧硬貨や摩耗等により損傷した硬貨等のように釣銭としては払い出すことが不適格であると判定された貨幣（釣銭外貨幣）に相当する場合、釣銭外貨幣情報１６ｃとして記憶部１６に格納する処理を行う。
【００３０】
また更に、入出金制御処理部１５ａは、管理装置２０から出金指令が与えられた場合に、出金指令に従って貨幣の出金処理を行うものであり、実施した出金処理の内容を出金情報１６ｂとして逐次記憶部１６に格納する処理を行うものである。
【００３１】
通知制御処理部１５ｂは、後述する通知処理を行うものであり、記憶部１６に記憶される入金情報１６ａ、出金情報１６ｂ及び釣銭外貨幣情報１６ｃを管理装置２０に通知するものである。
【００３２】
管理装置２０は、管理制御部２１及び管理表示部２２を備えて構成してある。管理制御部２１は、予め記憶されたプログラムやデータにしたがって管理装置２０の動作を統括的に制御するものである。
【００３３】
尚、管理制御部２１は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００３４】
管理表示部２２は、例えば液晶タッチパネルで構成してあり、各種情報を表示するとともに、タッチ操作等の操作入力が可能な表示手段である。
【００３５】
以上のような構成を有する金銭処理装置１０では、入出金制御処理部１５ａが入金許可指令に従って貨幣の入金処理を行った場合、通知制御処理部１５ｂが次のような通知処理を行う。
【００３６】
図３は、図１に示した通知制御処理部１５ｂが実施する通知処理の処理内容を示すフローチャートである。
【００３７】
この通知処理において通知制御処理部１５ｂは、記憶部１６の釣銭外貨幣情報１６ｃの有無、すなわち釣銭外貨幣があるか否かを判断する（ステップＳ１０１）。
【００３８】
釣銭外貨幣が有る場合（ステップＳ１０１：Ｙｅｓ）、通知制御処理部１５ｂは、金種別の貨幣の数と、金種別の釣銭外貨幣の数とを管理装置２０に通知し（ステップＳ１０２）、その後に手順をリターンさせて今回の処理を終了する。
【００３９】
これによれば、管理装置２０にて、金種別に収納した貨幣の数と、金種別の釣銭外貨幣の数との情報を取得することができる。これにより管理装置２０の管理制御部２１が、金種別に収納した貨幣の数から金種別の釣銭外貨幣の数を減算させて、金種別に釣銭として使用可能な貨幣の数を算出することができる。
【００４０】
このような金種別に釣銭として使用可能な貨幣の数は、管理表示部２２の所定領域がタッチ入力されることで管理制御部２１に表示指令が与えられた場合、該管理表示部２２に表示される。
【００４１】
一方、釣銭外貨幣が無い場合（ステップＳ１０１：Ｎｏ）、通知制御処理部１５ｂは、金種別の貨幣の数を管理装置２０に通知し（ステップＳ１０３）、その後に手順をリターンさせて今回の処理を終了する。
【００４２】
以上説明したように、本発明の実施の形態である金銭処理装置１０によれば、通知制御処理部１５ｂが、管理装置２０に対して金種別の貨幣の数と金種別の釣銭外貨幣の数とを通知するので、管理装置２０に金種別に釣銭として使用可能な貨幣の数を算出させることができる。しかも金種別の釣銭外貨幣の数を通知するので、管理装置２０に釣銭として使用可能な貨幣の補充等の判断を行わせることができる。その結果、金銭処理装置１０が、管理装置２０からの出金指令に対して、釣銭の払い出しが不可能な状態となってエラー応答を出力する状況を減らすことができ、顧客に釣銭支払いのために待たせてしまう等の商取引機会の損失を抑制することができる。
【００４３】
また上記金銭処理装置１０を備える金銭処理システムによれば、管理装置２０の管理制御部２１が、金種別に釣銭として使用可能な貨幣の数を算出するので、釣銭として使用可能な貨幣の補充等の判断を行うことができる。そのため、管理装置２０が金銭処理装置１０に対して、該金銭処理装置１０が釣銭の払い出しが不可能な状態となってエラー応答を出力するような出金指令を送出することを減らすことができ、顧客に釣銭支払いのために待たせてしまう等の商取引機会の損失を抑制することができる。
【００４４】
以上、本発明の好適な実施の形態について説明したが、本発明はこれに限定されるものではなく、種々の変更を行うことができる。
【００４５】
上述した実施の形態では、通知制御処理部１５ｂが、釣銭外貨幣が有る場合、金種別の貨幣の数と、金種別の釣銭外貨幣の数とを管理装置２０に通知していたが、本発明においては、収納する貨幣のうち、金種別の釣銭外貨幣の数とそれ以外の金種別の貨幣（釣銭可能貨幣）の数とを上位機器である管理装置に通知するようにしてもよい。
【００４６】
これによれば、管理装置にて、金種別の釣銭外貨幣の数と金種別の釣銭可能貨幣の数との情報を取得することができ、これにより、金種別の釣銭外貨幣の数に金種別の釣銭可能貨幣の数を加算させて、金種別に収納した貨幣の数を把握することができる。しかも金種別の釣銭外貨幣の数を通知しているので、上位機器に釣銭可能貨幣の補充等の判断を行わせることができる。その結果、金銭処理装置が、上位機器からの出金指令に対して、釣銭の払い出しが不可能な状態となってエラー応答を出力する状況を減らすことができ、顧客に釣銭支払いのために待たせてしまう等の商取引機会の損失を抑制することができる。
【００４７】
上述した実施の形態では、通知制御処理部１５ｂが、釣銭外貨幣が有る場合、金種別の貨幣の数と、金種別の釣銭外貨幣の数とを管理装置２０に通知していたが、本発明においては、金種別の釣銭外貨幣の数を上位機器に通知させるだけでもよい。この場合、上位機器に対し、金種別の釣銭外貨幣の数を把握させることができ、これにより、上位機器に釣銭として使用可能な貨幣の補充等の判断を行わせることができる。その結果、金銭処理装置が、上位機器からの出金指令に対して、釣銭の払い出しが不可能な状態となってエラー応答を出力する状況を減らすことができ、顧客に釣銭支払いのために待たせてしまう等の商取引機会の損失を抑制することができる。
【符号の説明】
【００４８】
１０  金銭処理装置
１１  硬貨処理装置
１１ａ  センサ群
１１ｂ  アクチュエータ群
１２  紙幣処理装置
１２ａ  センサ群
１２ｂ  アクチュエータ群
１３  端末表示部
１４  操作入力部
１５  金銭処理制御部
１５ａ  入出金制御処理部
１５ｂ  通知制御処理部
１６  記憶部
１６ａ  入金情報
１６ｂ  出金情報
１６ｃ  釣銭外貨幣情報
２０  管理装置
２１  管理制御部
２２  管理表示部
【図１】
2020030711.tif 000003
【図２】
2020030711.tif 000004
【図３】
2020030711.tif 000005